(57)【要約】【課題】この発明は、詰替容器を簡便な操作でホルダーに取り付けることを可能とした容器を得ることを課題とするものである。【解決手段】この発明は、詰め替えて使用するための中味を流通させる際に使用される軟質フィルム製の液体包装用容器本体１に筒状の抽出口体２を取り付け、この抽出口体の外面にホルダーＢの受け部１３に、上下方向及び水平方向の移動を規制した状態で係止するための凹部又は凸部よりなる係止部５を形成し、この抽出口体２の上方にはネジを設けてポンプ１２を取り付けることができるようにして構成する。【選択図】  図８
2007297075.tif 000002
【特許請求の範囲】
【請求項１】
軟質フィルム製の液体包装用容器本体の上部に筒状の抽出口体を取り付け、この抽出口体は外面に、上下方向及び水平方向の移動が規制された状態でホルダーの受け部に係止するための凹部又は凸部よりなる係止部を設け、この係止部にはこの係止部の上方にはネジが設けられてポンプを取り付けることができるようにした、液体包装用容器
【請求項２】
自立可能で保形性を有する胴部の一側に、その上端から下方に向かい内容物が包装された請求項１記載の液体包装用容器を挿入可能な開口部が形成され、上端部内側に請求項１記載の液体包装用容器の抽出口体が挿入される平面視Ｕ字状の受け部が設けられ、この受け部の内面に、上下方向及び水平方向の移動が規制された状態で包装用容器の抽出口体の係止部と係止する溝又は凸部よりなる係止部が形成された、液体包装用容器のホルダー
【請求項３】
請求項１記載の液体包装用容器と請求項２記載のホルダーとを組み合わせた、詰替容器セット
【発明の詳細な説明】
【技術分野】
【０００１】
この発明は、詰め替え用の液体が包装された液体包装用容器から内容物を詰め替えることなく、そのまま使用することのできる液体包装用容器及びそのためのホルダーに関するものである。
【背景技術】
【０００２】
近年省資源化及びごみの減量のために、内容物を詰替容器に包装して流通させる場面が増加している。しかしながら、通常は詰替容器のままでは安定性が悪い、ポンプがないなどのために使用しづらいので、包装された内容物を別の容器に詰め替えて使用しなければならない。
【０００３】
上記問題点を解決するために、詰替用容器をホルダーに装着できるようにしたものとして、実開平６−５４５４３号、特開平１１−３３４７５８号の発明が提案されている。
【０００４】
【特許文献１】実開平６−５４５４３号公報  この特許文献に記載された発明は、ホルダーに詰替容器の抽出口が挿入される挿入孔を設け、挿入孔に挿入された抽出口の台座リングと抽出口に螺合されるキャップとで詰替容器をホルダーの天板に挟着して固定するものである。  この発明の構成においては、詰替容器の抽出部をホルダーの挿入孔に挿入した状態を保持しつつ、キャップを螺合させる必要がある。  一般に詰替容器は２００グラム程度の重さがあり、手の力が弱った人にとっては決して軽いものではない。そのために、上記ホルダーへの取り付け作業は容易とは言えない。
【０００５】
【特許文献２】特開平１１−３３４７５８号公報  この特許文献に記載された発明は、胴部が二つ割り状に構成されたホルダーの口部内壁に係止部を設け、この係止凸部に詰替容器の抽出口外側に形成した係止部を係止させるものである。  この発明の構成においては、二つ割り状に構成された胴部の上部を開いて詰替容器を胴部の上方から胴部内に挿入し、次いで胴部を閉じて詰め替え容器を係止固定する必要がある。  したがって、詰替容器を固定する際には胴部を開く作業、開いた状態で詰替容器を挿入する作業、そして胴部を閉じて係止させる作業が必要である。しかも、詰替容器を係止させる際には、容器の口部をホルダーの一方側の係止部に係止した状態に保持しつつホルダーを閉じなければならないので、詰替容器のホルダーへの取り付け作業は容易とは言えない。
【発明の開示】
【発明が解決しようとする課題】
【０００６】
この発明は、詰替容器を簡便な操作でホルダーに取り付けることを可能とした容器を得ることを課題とするものである。
【課題を解決するための手段】
【０００７】
請求項１の発明は、詰め替えて使用するための中味を流通させる際に使用される軟質フィルム製の液体包装用容器本体に筒状の抽出口体を取り付け、この抽出口体の外面に、ホルダーの受け部に上下方向及び水平方向の移動を規制した状態で係止するための凹部又は凸部よりなる係止部を形成し、この抽出口体の上方にはネジを設けてポンプを取り付けることができるようにして構成する。
前記包装用容器本体は、スタンディングパウチ形状が好ましいが、袋状であればよい。尤も、内容物を最後までポンプで吸い上げるためには、袋の底は中央部が下方に位置するものが好ましい。またその素材は合成樹脂の単層フィルム、合成樹脂の多層フィルム、合成樹脂と紙又は金属層との複合フィルムなど適宜選択することができる。
前記抽出口体は合成樹脂成形品として容器本体に熱溶着で固着するのが製造上好ましいが、その素材、製法、そして容器本体との固着構造は問わない。
抽出口体に形成するネジは、現在２８．０ミリ口径でネジピッチ４．２３ミリと２．５４ミリの大きく２タイプに分かれているので、この何れかを選択することとなるが、別途の規格を採用することもできる。
前記ポンプはトリガースプレー（ガンタイプ）とプッシュポンプの双方を含むものである。
【０００８】
請求項２の発明は請求項１の包装用容器を取り付けるためのホルダーであって、自立可能で保形性を有する胴部の一側に、その上端から下方に向かい内容物が包装された請求項１記載の液体包装用容器を挿入可能な開口部を形成し、上端部内側に請求項１記載の液体包装用容器の抽出口体が挿入される平面視Ｕ字状の受け部を設け、この受け部の内面に包装用容器の抽出口体の係止部と上下方向及び水平方向の移動を規制した状態で係止する溝又は凸部よりなる係止部を形成して構成する。
前記胴部は自立可能であることと保形性を有することが満たされれば、材質、形状の限定はない。そして、胴部に底板を設けても設けなくともよい。
前記同部に設ける開口部は内容物が包装された包装用容器を胴部内に装着する際に包装用容器を挿入するためのものである。したがって、その具体的な態様は、比較的幅の狭い開口部を胴部の上下に亘り設けたり、比較的幅の広い開口部を胴部の上部に形成するなど、適宜選択することができる。
前記受け部は、平面視U字状であって、その開放端は前記開口部の一部を構成することとなる。そして、この受け部は前記包装用容器の係止部と係止する係止部となる凸部又は凹部を形成し得る構造であればよい。すなわち、実施例に示すように鍔を形成してこれを受け部とする態様の他、胴部の上端部をその内面に係止部を形成可能となるように肉厚として、この肉厚部を受け部とする態様も考えられる。
前記受け部の内面に、受け部に係止された包装用容器の抽出口体が開放端から抜けでないように、突起を設けることが好ましい。
【０００９】
請求項３の発明は、請求項１に記載された液体包装用容器と請求項２に記載されたホルダーとを組み合わせて詰替容器セットを構成したものである。容器の抽出口体の係止部及びホルダーの受け部の係止部は、一方が凸部であれば他方は凹部として構成する。
そして、凸部又は凹部の具体的な構成としては、上下方向の移動を規制する係止構造として鍔状の凸部（凸条）と溝の組合せ、水平方向の移動を規制する係止構造として実施例に示すように溝の内側面を変形させる構造の他に、溝の内側面に小突起を設け凸部にこれが嵌合する小孔を設ける構造などが考えられる。
【発明の効果】
【００１０】
この発明において、包装用容器の抽出口体に係止部が設けてあり、保形性のあるホルダーの受け部に前記包装用容器の係止部と係止する係止部が設けてあるので、内容物が包装された包装用容器をホルダーに係止させることができる。そして、前記係止部によって上下方向の移動が規制されるので、係止部を更にネジ止めしたりする必要はなく、平面視Ｕ字状をなす受け部の開放側から容器の抽出口体を差し込むだけで、容器をホルダーに固定することができる。また、ホルダーの胴部は一側が開口しているので、開口部から容器をホルダーの胴部内側に容易に挿入することができる。
したがって、この発明によれば、容器をホルダーに挿入する作業のみで内容物が包装された容器をホルダーに固定し、内容部とを別の容器に移し替えることなく、使用することができる。
また、前記抽出口体にはネジが設けてあるので、ポンプを取り付けることができる。
【発明を実施するための最良の形態】
【００１１】
以下、この発明を実施するための最良の形態を図面に基づいて説明する。
【００１２】
図１，図２は液体を包装する包装用容器Ａであって、合成樹脂フィルムで形成されたスタンディングパウチとした容器本体１の側面に合成樹脂成形品である抽出口体２が熱溶着により固着してある。前記容器本体１の底面は、その中央部が低くなるように形成してある。
【００１３】
前記抽出口体２は、前記容器本体１に固着される鍔状の基板３を有する筒状であって、前記基板３の上方には基板３と後に説明するホルダーの係止部の厚さと同等の距離を隔てて環状の鍔４が形成してあり、この鍔４と基板３の間に形成される溝５が係止部となっている。前記溝５の内壁は直径対称的に左右二箇所において抽出口体２の中央に向けて窪んだ凹弧６をなしている。すなわち、図５に示すように、左右の溝５の内壁の間隔は直径上における距離Ｌ１は他の位置における距離Ｌ２よりも短い。
前記抽出口体２の上部にはネジ７が形成してあり、ポンプを取り付けることができるようにしてある。
【００１４】
図６はホルダーＢの斜視図であり剛性のある合成樹脂成形品であり自立可能のものである。その胴部１１は断面Ｕ字状であって、一側には上下に亘り開口部１２が形成してある。この開口部１２の幅は、内容物が包装された包装用容器の本体１が挿入可能なものとしてある。前記胴部１１の上端には平面視Ｕ字状の受け部１３が設けてある。
この受け部１３の対向部の内縁は直線であって、前記胴部１１の内面よりも内側に突出した鍔１４を形成しており、屈曲部１５は前記抽出口体２の筒状部と同等の曲率としてある。前記鍔１４が係止部となっており、鍔１４の中間部には小突起１６が設けてあって、前記抽出口体２の溝５の小径部に嵌るようにしてある。
【００１５】
上記のように構成された包装用容器ＡをホルダーＢに装着するときは、包装用容器ＡをホルダーＢの開口部１２から胴部１１内に挿入するとともに、抽出口体２の溝４を受け部１３の鍔１４に挿入して係止させる。このとき、前記溝４は平面視中央部が窪んだ凹弧をなしているので、溝４の端部が受け部１３に設けられた小突起１６を通過する際には受け部１３の弾性変形により小突起１６を押し分け、小突起１６は溝５の中央部に位置する。
前記小突起１６が溝の中央部に位置することにより、抽出口体２の移動は規制され、抽出口体の脱抜は防止される。
以上により、包装用容器ＡはホルダーＢ内に吊り下げられた状態で安定的に保持される。
【００１６】
包装用容器ＡをホルダーＢに取り付けて使用する際には、包装用容器Ａの抽出口体２のネジ７にポンプ２１のネジを螺合する。上記のとおり包装用容器Ａの底面は中央部が低くなるようにしてあるので、最後に残った液体は中央部に集まる。したがって、ポンプ２１のホース２２の長さを包装用容器Ａの底面至る長さとしておくと、内容物を最後までポンプで吐出することができる（図９）。
【産業上の利用可能性】
【００１７】
この発明は、液体の包装用容器をホルダーの開口部に挿入し、係止させる作業のみによって包装用容器をホルダーに固定することができ、内容物を詰め替えることなくポンプ方式で使用することが可能となるものであって、産業上の利用可能性を有するものである。
【図面の簡単な説明】
【００１８】
【図１】この発明実施例の包装用容器の正面図
【図２】同じく側面図
【図３】同じく抽出口体の斜視図
【図４】同じく抽出口体の平面図
【図５】同じく抽出口体の溝形状を示す図
【図６】この発明実施例のホルダーの斜視図
【図７】同じく平面図
【図８】同じく包装用容器をホルダーに取り付けた状態の一部断面図
【図９】同じく正面図
【図１０】同じく斜視図
【符号の説明】
【００１９】
Ａ    包装用容器
Ｂ    ホルダー
１    容器本体
２    抽出口体
３    基板
４    鍔
５    溝
６    凹弧
７    ネジ
１１  胴部
１２  開口部
１３  受け部
１４  鍔
１５  屈曲部
１６  突起
２１  ポンプ
２２  ホース
【図１】
2007297075.tif 000003
【図２】
2007297075.tif 000004
【図３】
2007297075.tif 000005
【図４】
2007297075.tif 000006
【図５】
2007297075.tif 000007
【図６】
2007297075.tif 000008
【図７】
2007297075.tif 000009
【図８】
2007297075.tif 000010
【図９】
2007297075.tif 000011
【図１０】
2007297075.tif 000012